(57)【要約】      （修正有）【課題】体内の（ソマチット）を活動させて血液循環を良くし、又、マイナスイオンミネナル成分が浴槽湯及び室内で充満して、呼吸・口・鼻・皮膚等から内臓、又、肌に触れる事で、マイナスイオンが発生によって、人体の（ソマチット）の活性化により、健康予防と美容に役立つシャワーヘットの開発である。【解決手段】長野県和田峠産黒曜石イオンボールの開発により発生するマイナスイオンの測定、１ボール（Φ１０ｍｍ）当たり２７００個１ＣＣ（株式会社佐藤商事型式ＣＯＭ−３０１０ＰＲＯ使用）マイナスイオン測定結果発生する。マイナスイオンイオン発生装置は２０秒間で（１ｃｍ３）から１万７千個以上のマイナスイオン発生が測定結果です。天然温泉同様の効能効果成分が家庭、又は、ホテル・業務用・多目業務・スイミング又は、スポーツセンター・多くの場所で使用が出来、又、簡単にコンパクトでメンテナスが少ないシャワーヘットです。【選択図】図１
2012148041.tif 000002
【特許請求の範囲】
【請求項１】
人間は癌（ガン）その他の病気にどうしてなるのか、その原点が人体の（ソマッチット）の免疫力が低下によって、病気になるようです。
病気を予防する方法、又、家庭で入浴を楽しみながら、シャワーをする。そのシャワーによって人体の（ソマチット）に（エサ）マイナスイオン「自由電位」を毎日与えて（ソマチット）を元気にする事により、体の免疫を高める、そのマイナスイオンを多量に発生できるシャワーヘットの開発です。
人間の体は、約６５個の原子から成り立っているのです。胃・腸・内臓・骨・皮膚・細胞等です。その（細胞）が原子から成り立っているのです。
原子核の真ん中がプラス電気。外側の電子が、マイナス電気である。
人間の体内に細胞の数が（約６０兆）以上有ると言われています。（ソマチット）は細胞（６０兆）の何十倍〜何千倍も存在する超微小生体で、生き物です。
文明の変化により環境の悪化・食料の悪化等で（ソマチット）の活動が悪化し不明な病気が増加していく時代と共に医療費の負担が増加している現況です。
【請求項２】
入浴施設に、ヘットシャワーが使用されていますが、水道水には、塩素その他の消毒液を使用去れている為、頭・皮膚・人体の外部から健康に対する被害を与えている現状です。益々人体の（ソマチット）の免疫力が低下します。
人体の（ソマチット）は（自由電位・マイナスイオン）が大好きです。マイナスイオンが（ソマチット）の活性化によって、免疫力が向上して、健康予防に最適です。トルマリン鉱石と黒曜石（電気鉱石）ラジウム鉱石等を混合し、セラミックボールを作成してヘットシャワー器具の中で水圧の圧力で強力の自由電位（マイナスイオン）が発生できる開発装置です。
【請求項３】
長野県和田峠産の黒曜石を長年研究した結果、黒曜石とトルマリン鉱石及び、リンサンエン鉱物・ラジウム鉱石等を混合し、イオンボールを開発した、他には類の無い強力マイナスイオン発生するボールの作成が出来、１０年間以上の人体体験から良い（ソマチット）活性化イオンの成分が出来たのです。
その結果マイナスイオン発生出来る黒曜石イオンボールが開発されたのです、黒曜石イオンボールから出るマイナスイオンは、１ボール（Φ１０ｍｍ）当り２０秒間に２７００個１ＣＣ（株式会社佐藤商事形式ＣＯＭ−３０１０ＰＲＯ使用）の測定器から出ています。
シャワーヘットに使用されている量は、上記のボール数十個使用２０秒間、１５０００個のマイナスイオンが発生できる開発装置です。
【発明の詳細な説明】
【技術分野】
【背景技術】
【０００１】  本発明は、人体の（ソマチット）に免疫力を強化し美と健康予防に役に立つシャワーヘット器具の開発です。【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが鉱石の量が小量と、水圧の抵抗原理等が悪くマイナスイオ量の発生が少量である。
【発明の開示】
【発明が解決しようとする課題】
【０００３】  病気になる原点は人体の「ソマチット」活動の悪化が原因のようです。
２１世紀の美と健康は、（ソマチット）を活性化させる自由電位、マイナスイオンが（エサ）です。その（えさ）毎日与えて、体に免疫力をつける時代です。
人間の体は、６５個の原子から成り立っている。世の中の全ての物は、１０３個の原子から成り立っていると言われています。原子とは？水は２個の原子（Ｈ２Ｏ）水素と酸素。人体は、胃・腸・内臓・骨・皮膚・それを小さくすると（細胞）になっています。人間の原子約６５個の原子から形成されているようです。【０００４】  細胞の真ん中に原子核があります。原子核がプラス電気です。
細胞の外側の電子が、マイナス電子（マイナス電気）です。【０００５】  人体の新しい、細胞・骨・血液・等を作るものが（ソマチット）の活力です。
ソマチットの（エサ）になるのが（自由電子・マイナスイオン）です・その重要な（マイナスイオン）がシャワーヘットで発生できる画期的な開発装置です。【０００６】  人間の体内に細胞の数が（６０兆）、その（ソマチット）は細胞、６０兆の何十倍〜何千倍も人体に存在する超微小生体  生き物です。【０００７】  マイナスイオンは森林浴（滝壺）周辺に多く発生していますが、毎日家中で森林浴に行く事は不可能です。家庭で入浴しながら、身体の（ソマチット）に免疫力の強化ができるシャワーヘットの開発です。【０００８】  （ソマチット）は人体の赤血球の周辺をチラチラと活動している超微小生体の生き物で、大きさは（８０ナノメートル）である。普通の光学顕微鏡では発見できないほど超微小生体である。（ソマチット）をマイナスイオン水に入れると自然に（ソマチット）が元気に活動する事が発見できたのです。その発見者はフランスの（ガストン・ネサン研究で発見）されたのです。【０００９】  シャワーヘットで（ソマチット）の（エサ）になる多量の自由電位（マイナスイオンが発生出来る開発です。水圧（湯の流通圧力）に絶える、（図面−３）〜（図面−８）リングに細い溝を切り込み、リングを（図面−２）用に組み合わせて（図面−２）のようになります。（図面−４の断面図）リングの厚みと無数の溝を切り込み４個から５個リングを組み合わせをすると、小さい穴になる方法です。
【課題を解決するための手段】
【００１０】黒曜石・トルマリン鉱石・リエンサン鉱石・ラジウム鉱石等を９００度から１０００度の高温で、３のマイナスイオン発生ボールを数十個２の中に納入し、５の口より矢印の方向から、水圧（湯水）圧力で、マイナスイオン水となって、１４の穴から吹き出るシャワーヘットで穴の変形と詰まる事が無い利点です。【００１１】浴槽に湯を入れる時に、このシャワーヘットを通して湯を浴槽に入れると人体に良い多量のマイナスイオンが発生できる。マイナスイオが充満され、呼吸・口・鼻・皮膚、等から吸収されて  人体の（ソマチット）に免疫力がつき、低温で体内の芯まで暖まり発汗でき、天然温泉同様の成分となります。。【００１２】長野県和田峠産黒曜石を利用した黒曜石とトルマリン鉱石及びリンサンエン鉱物・ラジウム鉱石を粉末ミックスに作成して、９００度から１０００度、でセラミックスボールのため、コンパクトの強力特殊マイナスイオンボール作成する
【発明の効果】
【００１３】  トルマリン鉱石は人体に効能効果がある薬石として世間で数多くの色々な方法で使用されている鉱石である。特にトルマリン鉱石を飲料水に多く使用されている、その鉱石をシャワーに使用する事により身体全体の活性化が出来る。
黒曜石は昔から健康水として黒曜石を色々な方法で加工されて使用している。
特許出願者荻原大が開発した数多くのサウナ・関係及び岩盤浴関係に関して黒曜石を使用した事は、類の無い初期開発である。
【発明を実施するための最良の形態】
【００１４】  使用する黒曜石は産地として有名な長野県和田峠産であり、その成分含有率の一例を表１に示す。
【表１】
2012148041.tif 000003
【表２】
2012148041.tif 000004
上記の鉱石で長年実験と体験場（当社）岩盤浴１０万人の入浴者の結果と要望で発案された。
頭・肌からの汗腺からの老廃物の輩出を促進するだけでなく、毛穴の細胞線からも、通常では排出されにくい有害物質までも体外へ排出します。
【図面の簡単な説明】
【００１５】
【図１】シャワーヘット全体の立体図
【図２】５個のリンクを組み立てた平面図
【図３】ヘットの外周
【図４】リングの平面図
【図４】のリングの断面図
【図５】リングの平面図
【図５】のリングの断面図
【図６】リングの平面図
【図６】のリングの断面図
【図７】リングの平面図
【図７】のリングの断面図
【図８】ボルトの平面図
【図８】ボルトの断面図
【符号の説明】
【００１６】１    ヘットシャワー本体・
２    本体にマイナスイオン発生イオンボール収納・
３    マイナスイオン発生イオンボール・
４    シャワーホース取り付けネジ。
５    水（湯）通路の矢印。
６    ヘット外周  本体。
７    ２番目のリング。
８    ３番目のリング。
９    ４番目のリング。
１０  ５番目のリング・
１１  リングを固定するボルト・
１２  リングの外側に溝を切り込み吹き出る図。
１３  リングの切込み溝  断面図・
１４  リング固定ボルト。
【図１】
2012148041.tif 000005
【図２】
2012148041.tif 000006
【図３】
2012148041.tif 000007
【図４】
2012148041.tif 000008
【図４】
2012148041.tif 000009
【図５】
2012148041.tif 000010
【図５】
2012148041.tif 000011
【図６】
2012148041.tif 000012
【図６】
2012148041.tif 000013
【図７】
2012148041.tif 000014
【図７】
2012148041.tif 000015
【図８】
2012148041.tif 000016
【図８】
2012148041.tif 000017
【手続補正書】
【提出日】平成23年3月23日(2011.3.23)
【手続補正１】
【補正対象書類名】明細書
【補正対象項目名】００１５
【補正方法】変更
【補正の内容】
【００１５】
【図１】ヘットシャワー全体の立体図です。１の本体のケースの中に２のケースを組み込み  その中に  ３強力マイナスイオン発生イオンボールを納入する装置です。５の口から湯、又は、水道ホースを４の所に取り付けて  ３特殊強力マイナスイオン発生ボールの中を水圧力を加わり、マイナスイオンが発生する装置です。
【図２】平面図  水圧力を加えて強力のマイナスイオン発生装置であるので、穴の変形を無くし、穴詰まりの清掃も簡単にできる  ヘットシャワーの平面図です。６シャワーヘット外周リングを１ケースに取り付け、（図４）リングを組み合わせ次に（図６）・（図８）を（図１１）ボルトでこていする。穴清掃の時には１１ボルトをハズスと全部のリングがバラバラになり、清掃が簡単にできる装置です。各、リングの外周に（図５）断面図のように、小さな溝を切り込み、その溝がシャワーの水、又は、湯の吹き出し穴となる装置です。７・８・９・１０リングを１１ネジで全部のリングを固定する。
【図３】平面図  ６シャワーヘットの外周のリング固定ケースです。１１ボルトを差し込む穴です。
【図４】平面図  ２番目のリングの平面図です。リングの外周に７のように、無数の溝を切り込んだリングの平面図です。１１ボルトを差し込む穴です。
【図５】断面図  ２番目のリングの断面図です。１２切り込み溝です。１３溝の山（上）です。
【図６】平面図  ３番目のリングの平面図です。
【図７】断面図  ３番目のリングの断面図です。
【図８】平面図  ４番目のリングの平面図です。
【図９】断面図  ４番目のリングの断面図です。
【図１０】平面図  ボルトの平面図です。全部のリングを組み合わせて、１１穴にボルトで固定する。
【図１１】断面図  １４ボルトの断面図です。
【手続補正２】
【補正対象書類名】図面
【補正対象項目名】全図
【補正方法】変更
【補正の内容】
【図１】
2012148041.tif 000018
【図２】
2012148041.tif 000019
【図３】
2012148041.tif 000020
【図４】
2012148041.tif 000021
【図５】
2012148041.tif 000022
【図６】
2012148041.tif 000023
【図７】
2012148041.tif 000024
【図８】
2012148041.tif 000025
【図９】
2012148041.tif 000026
【図１０】
2012148041.tif 000027
【図１１】
2012148041.tif 000028